(57)【要約】      （修正有）【課題】確実に動物を捕獲することのできる動物捕獲用罠を提供する。【解決手段】動物捕獲用罠１００は、踏み板１２１と、踏み板の一対の対向する外縁領域にそれぞれ両端部が回動自在に取り付けられ、踏み板の外縁に沿って延在し全体として枠状に構成されるそれぞれ半枠状の一対の作動部材１２２、１２３と、踏み板がその内部に上下動可能に収容されるとともに作動部材がその上縁部１１１に支持される枠体１１０と、一対の作動部材により全体としてループ状に保持される捕獲ワイヤと、捕獲ワイヤのループ状に保持された部分を縮径する方向に付勢する付勢手段とを具備する。枠体の上縁部には切り欠き部１１０ａ、１１０ｂが設けられ、一対の作動部材の両端部の回動中心Ｐ１〜Ｐ４が共に切り欠き部上に配置され、一対の作動部材が切り欠き縁１１１ａ〜１１１ｄ上にそれぞれ支持される。【選択図】図１
0003154195.tif 000002
【実用新案登録請求の範囲】
【請求項１】
踏み板と、該踏み板の一対の対向する外縁領域にそれぞれ両端部が回動自在に取り付けられ、前記踏み板の外縁に沿って延在し、全体として枠状に構成されるとともに各々がそれぞれ半枠状に構成された一対の作動部材と、前記踏み板がその内部に上下動可能に収容されるとともに前記一対の作動部材がその上縁部に支持される枠体と、該枠体の上縁部に沿って配置された前記一対の作動部材により全体としてループ状に保持される捕獲ワイヤと、該捕獲ワイヤの前記ループ状に保持された部分を縮径する方向に付勢する付勢手段と、を具備し、
前記枠体の前記上縁部には、前記一対の外縁領域に対応した位置にそれぞれ切り欠き部が設けられ、前記一対の作動部材の両端部の回動中心が共に前記切り欠き部上に配置されるとともに、前記一対の作動部材が前記切り欠き部の両側の切り欠き縁上にそれぞれ支持されることを特徴とする動物捕獲用罠。
【請求項２】
前記一対の作動部材が前記枠体の前記上縁部に沿って延在した状態で載置されることを特徴とする請求項１に記載の動物捕獲用罠。
【請求項３】
前記踏み板に開口部を設け、前記踏み板の上方を横断して前記一対の作動部材を上方から押え付ける押え部材と、該押え部材に対する上下方向の取付位置を調整可能に取り付けられ、前記踏み板の上方から前記開口部を通して前記踏み板の下面に係合する係合部材と、を有する安全装置をさらに具備することを特徴とする請求項１又は２に記載の動物捕獲用罠。
【考案の詳細な説明】
【技術分野】
【０００１】
本考案は動物捕獲用罠に係り、特に、猪、鹿等有害獣の野生動物を捕獲する野生動物用罠として用いる場合に好適な、動物の脚部等をワイヤで緊縛して捕獲するための構造に関する。
【背景技術】
【０００２】
従来から、野生動物用罠には、踏み板の外周部に回動自在に取り付けられた両端部を備えた半円弧状の一対の作動部材からなる作動装置と、この作動装置を保持し、踏み板を上下動可能な状態で収容可能に構成された枠体と、一対の作動部材の外周に離脱可能に環状に掛止されるワイヤと、このワイヤを縮径方向に付勢するばね装置とを有するものが知られている。この野生動物用罠では、野生動物が前記踏み板を踏むと、踏み板の降下により一対の作動部材が僅かに上方へ回動することで、ワイヤの付勢力により一対の作動部材が上方へ大きく回動し、これによってワイヤが上方へ跳ね上げられながら一対の作動部材から離脱して野性動物の足をくくるようになっている（例えば、以下の特許文献１及び特許文献２参照）。
【０００３】
特許文献１に記載の野生動物用罠では、枠体の内側に受け桟が設けられており、一対の作動部材（作動体）の中央部が受け桟に支持されている。この構造では、野生動物が踏み板を踏むと、一対の作動部材の中央部は受け桟に支持されたままであるのに対し、一対の作動部材の両端部は踏み板とともに降下するので、作動部材が僅かに上方に回動する。
【０００４】
特許文献２に記載の野生動物用罠（野生動物捕獲用具）では、平面視円形の枠体に対して、作動装置の一対の作動部材（ワイヤーガード）が全体として平面視楕円枠形状若しくは長円枠形状に形成され、作動部材の両端部が枠体の内側に配置されているとともに、作動部材の中央部が枠体（円柱状器具）の外側に張り出すように構成されている。すなわち、この構造では、一対の作動部材が両端部と中央部の途中で枠体の上縁と交差するように当接している。したがって、踏み板が降下すると、一対の作動部材は上記当接点において枠体の上縁によって持ちあげられて上方に回動する。
【先行技術文献】
【特許文献】
【０００５】
【特許文献１】実用新案登録第３１２７８３２号公報
【特許文献２】実用新案登録第３１２３６７９号公報
【考案の概要】
【考案が解決しようとする課題】
【０００６】
しかしながら、特許文献１に記載の野生動物用罠では、一対の作動部材の中央部が受け桟で支持された状態で踏み板とともに両端部が降下するので、作動部材の両端部の回動中心と受け桟に当接する作用点とが離れていて、踏み板の降下による作動部材の初期の回動角度が小さく初動速度が低いことから、ワイヤの跳ね上げ動作や巻き付け動作が遅くなるため、動物に逃げられ易くなるという問題点がある。このことは、換言すれば、ワイヤの迅速な巻き付け動作を可能にするには踏み板の降下量を大きくとる必要があることを意味する。そして、踏み板の降下量を大きくするには、枠体の厚みを大きくし、これに伴って枠体を設置する際には地面を深く掘らなければならない。
【０００７】
一方、特許文献２に記載の野生動物用罠では、一対の作動部材がその両端部と中央部の中間位置を作用点として枠体の上縁に持ちあげられて上方へ回動するので、作用点を特許文献１の構成よりも作動部材の回動中心に近く設定することができ、踏み板の降下による作動部材の初期の回動角度が特許文献１の野性動物用罠に比べて大きくなる。しかしながら、作用点を回動中心に近づけるほど、一対の作動部材は枠体の上縁に対して小さな角度で斜めに交差するように配置されるので、作動部材と枠体とが半径方向の応力を受けながら回動することから作動部材と枠体との作動抵抗が大きくなるとともに、枠体や作動部材の剛性が不足していると作動部材が内側に変形したり枠体が外側に変形したりして初期の回動角そのものが設計値よりも低下するので、初動速度の向上が不十分となり、やはり動物に逃げられ易くなるという問題がある。
【０００８】
そこで、本考案は上記問題点を解決するものであり、その課題は、作動部材の初動速度の向上を図ることにより、作動部材を高速に作動させて確実に動物を捕獲することのできる動物捕獲用罠を提供することにある。
【課題を解決するための手段】
【０００９】
斯かる実情に鑑み、本考案の動物捕獲用罠は、踏み板と、該踏み板の一対の対向する外縁領域にそれぞれ両端部が回動自在に取り付けられ、前記踏み板の外縁に沿って延在し、全体として枠状に構成されるとともに各々がそれぞれ半枠状に構成された一対の作動部材と、前記踏み板がその内部に上下動可能に収容されるとともに前記一対の作動部材がその上縁部に支持される枠体と、該枠体の上縁部に沿って配置された前記一対の作動部材により全体としてループ状に保持される捕獲ワイヤと、該捕獲ワイヤの前記ループ状に保持された部分を縮径する方向に付勢する付勢手段と、を具備し、前記枠体の前記上縁部には、前記一対の外縁領域に対応した位置にそれぞれ切り欠き部が設けられ、前記一対の作動部材の両端部の回動中心が共に前記切り欠き部上に配置されるとともに、前記一対の作動部材が前記切り欠き部の両側の切り欠き縁上にそれぞれ支持されることを特徴とする。
【００１０】
本考案によれば、踏み板が降下すると、一対の作動部材の両端部の回動中心が一対の外縁領域に対応する位置に設けられた切り欠き部の内部に共に降下するので、一対の作動部材は切り欠き部の両側の切り欠き縁によって上方へ押し上げられ、上記回動中心を中心として回動する。この場合、作動部材が回動中心の近傍で切り欠き縁によって大きく回動するため、初期の回動角が大きくなる。また、作動部材がそれまで載置されていた切り欠き縁で上方へ持ち上げられるので、作動時において作動部材と枠体との間で半径方向の応力がほとんど発生しないため、作動部材の回動抵抗も抑制できる。したがって、作動部材の初動速度が向上することから、動物を確実に捕獲することが可能になる。また、踏み板の降下量も最小限で足りるため、枠体の厚みも薄くて済み、枠体設置時の掘り下げ深さも浅くて足りるので、設置作業が容易になる。さらに、作動部材や枠体の剛性も従来より低くて足りるため、コンパクトかつ低コストで製造できる。この場合に、前記一対の切り欠き部の内側面が前記上縁部に対して９０度以上の角度で形成されていることが好ましい。切り欠き部の内側面の上縁部に対する角度は９０度未満でも構わないが、９０度以上の角度とすることによって、内側面により一対の作動部材の上方への回動動作が制約を受けるということがなくなるので、ワイヤをさらに高く跳ね上げることが可能になる。
【００１１】
本考案において、前記一対の作動部材が前記枠体の前記上縁部に沿って延在した状態で載置されることが好ましい。これによれば、作動部材を枠体によって確実に支持することができ、作動前の状態を安定させることができる。
【００１２】
本考案において、前記踏み板に開口部を設け、前記踏み板の上方を横断して前記一対の作動部材を上方から押え付ける押え部材と、該押え部材に対し取付位置を調整可能に取り付けられ、前記踏み板の上方から前記開口部を通して前記踏み板の下面に係合する係合部材と、を有する安全装置をさらに具備することが好ましい。
【考案の効果】
【００１３】
本考案によれば、踏み板の降下に伴って一対の作動部材の回動中心を切り欠き部内に配置するとともに一対の切り欠き縁により回動させることによって、初動速度の向上を図り、確実に動物を捕獲できるという優れた効果を奏し得る。
【図面の簡単な説明】
【００１４】
【図１】本考案に係る実施形態の動物捕獲用罠を模式的に示す分解斜視図である。
【図２】本実施形態の動物捕獲用罠を模式的に示す概略正面図である。
【図３】別の実施形態の動物捕獲用罠を模式的に示す概略正面図である。
【図４】本実施形態の捕獲ワイヤを模式的に示す一部断面図である。
【図５】本実施形態の動物捕獲用罠に安全装置を取り付けた状態を斜め上方から見た状態を示す概略斜視図である。
【考案を実施するための形態】
【００１５】
次に、添付図面を参照して本考案の実施形態について詳細に説明する。
【００１６】
以下に、本考案に係る実施形態の動物捕獲用罠について詳細に説明する。図１は本考案に係る実施形態の動物捕獲用罠を模式的に示す分解斜視図である。図２は本考案に係る実施形態の動物捕獲用罠を模式的に示す概略正面図である。この動物捕獲用罠１００は、平面視円形枠状の枠体１１０と、この枠体１１０に設置される作動装置１２０と、この作動装置１２０に装着される捕獲ワイヤ１３１と、捕獲ワイヤ１３１を付勢するバネ装置１３２と、を有している。
【００１７】
図１に示すように、枠体１１０は両端が開口した中空の円筒状であり、上縁部１１１には一対の切り欠き部１１０ａ、１１０ｂが形成されている。これらの一対の切り欠き部１１０ａと１１０ｂは上縁部１１１の互いに対向配置された位置にそれぞれ設けられている。切り欠き部１１０ａ、１１０ｂはそれぞれ両側に設けられた内側面１１５ａ、１１６ａ、１１５ｂ、１１６ｂと、下側に設けられた内底部１１７ａ、１１７ｂとによって囲まれた欠除部分で構成されている。一対の内側面１１５ａ、１１６ａ、１１５ｂ、１１６ｂは上縁部１１１から下縁部１１２に向かって枠体１１０の軸線Ｃと略平行に伸びている。両内側面１１５ａ、１１６ａ、１１５ｂ、１１６ｂと上縁部１１１は、切り欠き縁１１１ａ、１１１ｂ、１１１ｃ、１１１ｄにおいて交差している。
【００１８】
枠体１１０の側壁の上縁部１１１寄りの位置には、複数のピン装着孔１１０ｃ、１１０ｄ、１１０ｅ、１１０ｆが形成されている。これらのピン装着孔は枠体１１０の外面１１３から内部１１４まで貫通している。複数のピン装着孔は枠体１１０の軸線周りに互いに間隔を空けた角度位置に配列される。また、これらのピン装着孔には支持ピン１１８ａ、１１８ｂ、１１８ｃ、１１８ｄがそれぞれ装着可能に構成される。ピン装着孔１１０ｃ、１１０ｄ、１１０ｅ、１１０ｆに装着された複数の支持ピン１１８ａ、１１８ｂ、１１８ｃ、１１８ｄは作動装置１２０の後述する踏み板１２１の外縁部を下方より支持し、これによって踏み板１２１が捕獲すべき動物以外の物、例えば、猪捕獲用であれば鳥などの軽い動物が乗ったり、木の枝などが落下したりした際に誤作動を起こさないように、踏み板１２１の降下を阻止するためのものである。支持ピン１１８ａ、１１８ｂ、１１８ｃ、１１８ｄの剛性は捕獲目的の動物の体重を勘案して設定され、捕獲目的の動物が踏み板１２１を踏んだ時には折損することにより、踏み板１２１が降下して作動装置１２０が支障なく作動するように構成される。
【００１９】
作動装置１２０は、踏み板１２１と、この踏み板１２１に回動可能に取り付けられた一対の作動部材１２２、１２３とを有している。この踏み板１２１は平板状であり、枠体１１０の内側に上下動可能に収容される。図示例の場合、踏み板１２１は、平面視円形枠状の枠体１１０に対応して、その内部に収まる大きさの円盤状に構成される。
【００２０】
この踏み板１２１の相互に対向する一対の外縁領域には、上面に一対の連結部材１２４、１２５が取り付けられている。この一対の連結部材１２４、１２５は、踏み板１２１の上面に沿って固定される第１の平板部と、踏み板１２１の上面に対して垂直に立設された第２の平板部とを有する断面略Ｌ字状の部材である。第２の平板部は、一方の作動部材１２２の端部１２２ａ、１２２ｂを回動可能に取り付けた回動中心Ｐ１、Ｐ３と、他方の作動部材１２３の端部１２３ａ、１２３ｂを回動可能に取り付けた回動中心Ｐ２、Ｐ４とを構成する。これらの回動中心Ｐ１、Ｐ３とＰ２、Ｐ４はそれぞれ上記外縁領域において踏み板１２１の外縁に沿った方向に離間して配置されている。
【００２１】
一対の作動部材１２２、１２３は半円弧状であり、その外面にワイヤを掛止可能な凹溝１２２ｄ、１２３ｄがそれぞれ形成されている。この凹溝１２２ｄ、１２３ｄは作動部材１２２、１２３に沿って半円弧状にそれぞれ伸びている。この一対の作動部材１２２、１２３の両端部１２２ａ，１２２ｂ，１２３ａ，１２３ｂは上述のように踏み板１２１の対向する一対の外縁領域に対し上記連結部材１２４、１２５を介して回動可能に取り付けられている。具体的には、一対の作動部材１２２、１２３の各一方の端部１２２ａ、１２３ａが一方の連結部材１２４に回動自在に連結されているとともに、一対の作動部材１２２，１２３の各他方の端部１２２ｂ、１２３ｂが他方の連結部材１２５に回動自在に連結されている。一対の作動部材１２２、１２３はそれぞれ踏み板１２１に沿って配置された横倒し姿勢から踏み板１２１の上方へ起立した姿勢へと回動可能に構成される。
【００２２】
作動部材１２２，１２３が横倒し姿勢とされた状態では、一対の作動部材１２２と１２３は全体として踏み板１２１の外縁に沿った枠形状、図示例では円環形状に構成される。この円環形状は枠体１１０と同一の大きさである。そして、作動装置１２０の踏み板１２１は枠体１１０の内部に収容され、作動部材１２２，１２３が上縁部１１１上に重なるように載置される。すなわち、一対の作動部材１２２、１２３が枠体１１０の上縁部１１１に沿って延在し、この状態で作動部材１２２、１２３の両端部１２２ａ，１２２ｂ，１２３ａ，１２３ｂ以外の部分全体（中央部１２２ｃ、１２３ｃ及びその両側部分）が上縁部１１１上に載置されている。これによって作動部材１２２、１２３の多くの部分が枠体１１０上に支持されるので、作動前の状態において作動部材１２２、１２３を安定させることができる。ただし、本発明では後述するように一対の作動部材１２２、１２３の少なくとも両端部１２２ａ，１２２ｂ，１２３ａ，１２３ｂの近傍が枠体１１０の上縁部１１１（切り欠き縁）上に当接支持されていればよい。
【００２３】
このとき、図２に示すように、一対の作動部材１２２、１２３のうち、踏み板１２１の一方の外縁領域に回動可能に取り付けられた各一方の端部１２２ａ、１２３ａ（回動中心Ｐ１及びＰ２）が枠体１１０の一方の切り欠き部１１０ａの上方に配置されるとともに、他方の外縁領域に回動可能に取り付けられた各他方の端部１２２ｂ、１２３ｂ（回動中心Ｐ３及びＰ４）が他方の切り欠き部１１０ｂの上方に配置される。すなわち、回動中心Ｐ１、Ｐ３及びＰ２、Ｐ４はいずれも切り欠き部１１０ａ、１１０ｂの平面範囲内に配置される。換言すると、回動中心Ｐ１、Ｐ３及びＰ２、Ｐ４はいずれも両側の切り欠き縁１１１ａと１１１ｂの間、或いは、切り欠き縁１１１ｃと１１１ｄの間に平面的に配置される。そして、回転支点Ｐ１、Ｐ３及びＰ２、Ｐ４と、これらに隣接する切り欠き部１１０ａ、１１０ｂの形成範囲の境界との間に間隔Ｒが存在するように構成される。
【００２４】
また、一対の作動部材１２２、１２３は、回動中心Ｐ１、Ｐ３及びＰ２、Ｐ４のそれぞれ両側において切り欠き縁１１１ａ、１１１ｂ、１１１ｃ、１１１ｄ（及びそれらのさらに両側の上縁部１１１）上に載置される。この場合、前述のように作動部材１２２、１２３の全体が枠体１１０の上縁部１１１上に載置されている必要はなく、少なくとも切り欠き縁１１１ａ、１１１ｂ、１１１ｃ、１１１ｄ上に載置されていればよい。
【００２５】
上記の構成により、図２に二点鎖線で示すように、枠体１１０の内側において踏み板１２１が降下すると、一対の作動部材１２２、１２３の回動中心Ｐ１、Ｐ２、Ｐ３、Ｐ４が一対の切り欠き部１１０ａ、１１０ｂの中に降下し、これによって、作動部材１２２が切り欠き縁１１１ａ、１１１ｃにより回動してその中央部１２２ｃが上方に跳ね上がり、また、作動部材１２３が切り欠き縁１１１ｂ、１１１ｄにより回動してその中央部１２３ｃが上方に跳ね上がる。
【００２６】
ここで、この作動部材１２２、１２３の跳ね上がり動作は作動部材１２２、１２３が内側面１１５ａ、１１５ｂに当接することで停止する。ここで、図示例では、内側面１１５ａ、１１５ｂ、１１６ａ、１１６ｂは枠体１１０の軸線方向に伸びているので、作動部材１２２、１２３はそれぞれ枠体１１０の略軸線方向に起立した姿勢で停止するようになっている。すなわち、図示例では内側面１１５ａ，１１５ｂが上縁部１１１に対して９０度の角度で形成されているので、作動部材１２２，１２３の回動角度範囲もまた９０度に制限される。なお、作動部材１２２，１２３の回動角度範囲は９０度あれば十分であるので、枠体１１０において上縁部１１１に対する内側面の角度が９０度以上であれば何ら問題はない。
【００２７】
図３は動物捕獲用罠の別の形態を示す概略正面図である。この動物捕獲用罠２００では、枠体２１０の内側面２１５ａ、２１６ａ、２１５ｂ、２１６ｂが上縁部１１１に対して９０度未満の傾斜角θを有している。このように上縁部１１１に対して内側面が斜め上方を向くように傾斜していることで、作動部材１２２，１２３の回動角度範囲は上記傾斜角θと同じ角度に制限される。これにより、作動部材１２２、１２３は内側面２１５ａ、２１５ｂ、２１６ａ、２１６ｂの傾斜角度をもって起立するようになっている。このため、側壁の傾斜角度によって作動部材１２２、１２３の中央部１２２ｃ、１２３ｃの跳ね上け高さを設定できる。このとき、作動部材１２２，１２３の跳ね上げ高さ及び回動角度は、少なくとも後述する捕獲ワイヤ１３１のループ部分が一対の作動部材１２２，１２３の凹溝１２２ｄ、１２３ｄから離脱することのできる角度以上の値に設定される。
【００２８】
図４に示すように、捕獲ワイヤセット１３０は、捕獲ワイヤ１３１と、この捕獲ワイヤ１３１のループ部１３１Ｌが縮径する方向に付勢（引き付け）する付勢手段であるバネ装置１３２とを有している。捕獲ワイヤ１３１の先端は先端保持具１３１ａによって基部側の任意のワイヤ部位に巻回保持された巻回部とされ、当該巻回部と上記ワイヤ部位との間に拡縮可能なループ部１３１Ｌが構成される。
【００２９】
捕獲ワイヤ１３１のループ部１３１Ｌよりも基部側にあるワイヤ部位には上記バネ装置１３２が取り付けられている。このバネ装置１３２は、ワイヤの先端側に配置される接続管１３３と、コイルバネ１３４と、ワイヤの基端側に配置されるバネ圧縮管１３５とがワイヤ１３１に先端側から順次挿通された状態で取り付けられている。コイルバネ１３４の両端は接続管１３３とバネ圧縮管１３５の内部に収容された状態でそれぞれ保持される。接続管１３３の端部は捕獲ワイヤ１３１の先端の巻回部に当接し、上記バネ圧縮管１３５の端部はストッパ１３１ｂに当接する。コイルバネ１３４を押し縮めながら接続管１３３に当接した巻回部を基部側に移動させることで、ループ部１３１Ｌを大きくすることができ、この状態でループ部１３１Ｌを全体として枠形状に構成された上記一対の作動部材１２２，１２３の凹溝１２２ｄ、１２３ｄに掛け渡すことにより、ループ部１３１Ｌが作動部材１２２，１２３によって保持される。なお、ストッパ１３１ｂの捕獲ワイヤ１３１に沿った位置を調整することで、ループ部１３１Ｌを縮径する方向に作用する付勢力を調整することが可能である。
【００３０】
また、捕獲ワイヤ１３１の後端部には連結部１３６を介して延長ワイヤ１３７が連結されている。連結部１３６は捕獲ワイヤ１３１と延長ワイヤ１３７とを角度自在に連結している。この延長ワイヤ１３７の先端を付近の樹木や支柱などの固定物に係合させておくことで、ループ部１３１Ｌで脚部等が緊縛された動物を係留することができる。なお、延長ワイヤ１３７を用いずに捕獲ワイヤ１３１を直接に固定物に係合させて用いても構わない。
【００３１】
なお、上記の捕獲ワイヤ１３１は先端に巻回部を設けることでループ部１３１Ｌを構成しているが、捕獲ワイヤ１３１の両端を上記バネ装置１３２に挿通させ、バネ装置１３２から出た捕獲ワイヤ１３１の両端部をストッパ１３１ｂに固定するなど、結果的にループ部１３１Ｌが縮径する方向に捕獲ワイヤ１３１Ｌが付勢手段により付勢されるように構成されていればよい。
【００３２】
図５は上述の動物捕獲用罠に安全装置を取り付けた状態を斜め上方から見た状態を示す概略斜視図である。図５に示すように、この安全装置１４０は、踏み板１２１の上方を横断し、枠体１１０の上縁部１１１に沿って配置された一対の作動部材１２２，１２３を上方から押え付ける押え部材１４１と、この押え部材１４１に対する上下方向（踏み板１２１の移動方向）の取付位置を調整可能に取り付けられ、踏み板１２１の中央に設けられた開口部１２１ａを通して踏み板１２１の下面に係合する係止部１４２ａを備えた軸状の係合部材１４２とを有している。
【００３３】
係合部材１４２の基端部には雄ネジが形成され、当該基端部は押え部材１４１の中央の貫通孔１４１ａを通過し、上記雄ネジに螺合する蝶ナット等の固定手段（固定部材）１４３によって押え部材１４１に保持される。押え部材１４１は踏み板１２１の上方を横断して横倒し状態の一対の作動部材１２２、１２３の好ましくは中央部を上方から押え付ける。係合部材１４２の先端の係止部１４２ａは図示例では側方に屈曲した屈曲部で構成されるが、踏み板１２１の開口部１２１ａを通過した先で踏み板１２１の下面に係合可能な形状であれば特に限定されない。ただし、係止部１４２ａは図示例のように踏み板１２１の開口部１２１ａを上方から挿入（通過）可能に構成されていることが好ましい。この場合には、押え部材１４１に取り付けられた係合部材１４２の係止部１４２ａを上方から開口部１２１ａに通し、そのまま係止部１４２ａを開口部１２１ａの開口縁部に引っ掛けるだけで容易にセットできるからである。
【００３４】
このように構成された安全装置１４０を用いる場合には、押え部材１４１で一対の作動部材１２２，１２３を上方から押え付けながら、押え部材１４１をやや下方に撓ませつつ、係合部材１４２の係止部１４２ａを踏み板１２１の開口部１２１ａに通した後にその下面に係合させる。このとき、予め押え部材１４１と係合部材１４２の上下方向の取付位置を調整しておくことにより、安全装置１４０によって踏み板１２１と一対の作動部材１２２，１２３が相互に密接した状態で保持される。
【００３５】
もっとも、上述のように安全装置１４０を装着した後に、蝶ナットをねじ込む等、固定手段１４３を用いて押え部材１４１と係合部材１４２の上下方向の取付位置を調整してもよい。また、上述のように係止部１４２ａが開口部１２１ａを通過できないように構成されている場合には、係合部材１４２を下方から開口部１２１ａに挿入し、その後、係合部材１４２の基端部を踏み板１２１の上方で押え部材１４１に取り付けてもよい。
【００３６】
この安全装置１４０を用いることによって、一対の作動部材１２２，１２３が踏み板１２１に対して上方へ跳ね上がることが防止されるので、図示していないが、上記捕獲ワイヤ１３１のループ部１３１Ｌを一対の作動部材１２２，１２３に装着した状態で地面を掘って枠体１１０及び作動装置１２０を設置する際に、作業者の安全を確保することができる。設置作業が終了すれば、押え部材１４１を下方へ撓ませながら係止部１４２の踏み板１２１に対する係合を解除し、慎重に係合部材１４２を開口部１２１ａから抜き取ることで、安全装置１４０をすみやかに取り外すことができる。なお、取り外し方法も取付方法と同様に任意の方法で実施できる。例えば、係止部１４２ａが開口部１２１ａを通過できない構造となっている場合には、固定手段１４３を外して係合部材１４２を踏み板１２１の下方へ落下させ、押え部材１４１のみを取り外すようにしても構わない。
【００３７】
上述のように構成された動物捕獲用罠１００、２００については、枠体１１０、２１０と作動装置１２０を上記のように組み立て、捕獲ワイヤ１３１のループ部１３１Ｌを、横倒姿勢とした一対の作動部材１２２、１２３の凹溝１２２ｄ、１２３ｄに係止し、バネ装置１３２によって捕獲ワイヤ１３１に付勢力を与えた状態とした後、枠体１１０、２１０と作動装置１２０を地中に配置し、土や木の葉などで目隠しをした後、捕獲ワイヤ１３１の基端部を直接若しくは間接的に固定物に固定することで、設置作業が完了する。
【００３８】
本実施形態においては、枠体１１０の上縁部１１１に一対の切り欠き部１１０ａ、１１０ｂが形成されており、踏み板１２１が降下すると、この切り欠き部１１０ａ、１１０ｂの両側の切り欠き縁１１１ａ、１１１ｂ、１１１ｃ、１１１ｄによって一対の作動部材１２２、１２３が上方に跳ね上がるように構成される。したがって、回動中心と作用点との距離、すなわち、回動中心Ｐ１と切り欠き縁１１１ａの距離、回動中心Ｐ２と切り欠き縁１１１ｂとの距離、回動中心Ｐ３と切り欠き縁１１１ｃとの距離、回動中心Ｐ４と切り欠き縁１１１ｄとの距離（上記の間隔Ｒに相当する。）をそれぞれ短くすることが可能になるので、踏み板１２１の降下量が同じであれば一対の作動部材１２２、１２３の初期の回動角度を従来構造よりも大きくすることができるため、作動部材１２２，１２３の初動速度を高めることができる。
【００３９】
また、枠体１１０、２１０との関係によって生ずる作動部材１２２，１２３の初期の回動角度を確保しつつ、踏み板１２１の降下量を小さくすることができるので、枠体１１０、２１０の厚みを低減できるから、地面の掘り下げ量も少なくて足りることとなり、設置作業を容易に行うことができる。
【００４０】
さらに、本実施形態では、作動部材１２２，１２３は枠体１１０、２１０の上縁部１１１の一部である切り欠き縁１１１ａ、１１１ｂ、１１１ｃ、１１１ｄにより真上へ押し上げられるので、枠体１１０、２１０との間に回動抵抗がほとんど生じない。したがって、この回動抵抗によって作動部材１２２，１２３の初動速度の向上が妨げられるといったこともなくなる。
【００４１】
以上のように、本実施形態では、作動部材１２２，１２３の初期の回動角度を増大させることができるとともに回動抵抗も抑制することができるので、作動部材１２２，１２３の初動速度を高めることができるから、捕獲ワイヤ１３１を高速に作動させて動物を確実に捕獲することが可能になる。
【００４２】
尚、本実施形態の動物捕獲用罠１００、２００は、上述の図示例にのみ限定されるものではなく、本考案の要旨を逸脱しない範囲内において種々変更を加え得ることは勿論である。例えば、本実施形態においては、一対の作動部材１２２、１２３がそれぞれ半円弧状で全体として円環枠状に構成されているが、本発明はこのような態様に限定されるものではない。例えば、一対の作動部材が全体として矩形枠状に構成されるなど、一対の作動部材により形成される概略形状が捕獲ワイヤ１３１のループ部１３１Ｌを保持可能な枠形状となっていればよい。また、図示例では枠体１１０、２１０が円形枠状に構成されているが、枠体が角形枠状であってもよく、要は、枠体の切り欠き縁が作動部材の少なくとも回動中心に隣接する部分に当接して支持する構造となっていればよい。
【符号の説明】
【００４３】
１００、２００…動物捕獲用罠、１１０、２１０…枠体、１１０ａ、１１０ｂ、２１０ａ、２１０ｂ…切り欠き部、１１０ｃ、１１０ｄ、１１０ｅ、１１０ｆ…貫通孔、１１１…上縁部、１１２…下縁部、１１３…外面、１１４…内面、１１１ａ、１１１ｂ、１１１ｃ、１１１ｄ…切り欠き縁、１１５ａ、１１５ｂ、１１６ａ、１１６ｂ、２１５ａ、２１５ｂ、２１６ａ、２１６ｂ…内側面、１１７ａ、１１７ｂ…内底面、１１８ａ、１１８ｂ、１１８ｃ、１１８ｄ…支持ピン、１２０…作動装置、１２１…踏み板、１２１ａ…開口部、１２２、１２３…作動部材、１２２ａ、１２３ａ…一方の端部、１２２ｂ、１２３ｂ…他方の端部、１２２ｃ、１２３ｃ…中央部、１２２ｄ、１２３ｄ…凹溝、１２４、１２５…連結部材、１３０…捕獲ワイヤセット、１３１…捕獲ワイヤ、１３１Ｌ…ループ部、１３１ａ…保持具、１３２…バネ装置、１３３…接続管、１３４…コイルバネ、１３５…バネ圧縮管、１３６…連結部、１３７…延長ワイヤ、１４０…安全装置、１４１…押え部材、１４１ａ…貫通孔、１４２…係合部材、１４２ａ…係止部、１４３…蝶ナット、Ｃ…軸線、Ｐ１、Ｐ２、Ｐ３、Ｐ４…回動中心、Ｒ…間隔
【図１】
0003154195.tif 000003
【図２】
0003154195.tif 000004
【図３】
0003154195.tif 000005
【図４】
0003154195.tif 000006
【図５】
0003154195.tif 000007